(57)【特許請求の範囲】
【請求項１】
防波堤、又は防潮堤と、前記防波堤、又は防潮堤の内陸側に形成した地下タンク空間に、コンクリート製のセルブロックを、多数個配置し、地下タンクを形成するとともに、この地下タンクの上に内陸面を形成し、この内陸面に生活用、又は作業用の造成地を構築し、この造成地に漁業建物、工場、住居と、道路、樹木、又は生活ライフラインを構築し、
前記防波堤の下側に第三導水路を開設するとともに、この第三導水路を前記地下タンクと海岸側に、それぞれ繋がる構成とし、この第三導水路に発電装置を設置する構成とし、
前記第三導水路の海岸側に、逆止弁を付設する構成とした空中都市の構造。
【請求項２】
防波堤、又は防潮堤と、前記防波堤、又は防潮堤の内陸側に形成した地下タンク空間に、コンクリート製のセルブロックを、多数個配置し、地下タンクを形成するとともに、この地下タンクの上に内陸面を形成し、この内陸面に生活用、又は作業用の造成地を構築し、この造成地に漁業建物、工場、住居と、道路、樹木、又は生活ライフラインを構築し、
前記防波堤の内部に、漁船から積み下ろした荷物を前記造成地に運搬するためのエレベータを設ける構成とした空中都市の構造。
【請求項３】
前記防波堤の下側に第三導水路を開設するとともに、この第三導水路を前記地下タンクと海岸側に、それぞれ繋がる構成とし、この第三導水路に発電装置を設置する構成とした請求項２に記載の空中都市の構造。
【請求項４】
前記エレベータは、使用時以外には、前記造成地の階で待機する構成とした請求項２に記載の空中都市の構造。
【請求項５】
前記複数のセルブロックは、ステンレスボルトで互いに締結する構成とした請求項１又は２に記載の空中都市の構造。
【請求項６】
前記造成地は、海岸側、又は河川側に設けた防波堤の高さと、略同じとする請求項１又は２に記載の空中都市の構造。
【請求項７】
前記防波堤の上部に回廊式の第一導水路を形成し、この第一導水路は、金網構造、又は穴開き構造の鉄板で閉塞、又は、一部を閉塞する構成とした請求項１又は２に記載の空中都市の構造。
【請求項８】
前記防波堤には、横方向に向かって、四角、又は丸、その他の形状の第二導水路を開設するとともに、この第二導水路は、この防波堤の高さの１／４〜３／４の位置に開設することで、津波発生時において、海水が前記地下タンク内に流入する構成とした請求項１又は２に記載の空中都市の構造。
【請求項９】
前記造成地を、既設土地として利用する構成とした請求項１又は２に記載の空中都市の構造。
【請求項１０】
前記造成地の海側の側面に、海水の侵入を防止するための段差を設ける構成とした請求項９に記載の空中都市の構造。
【請求項１１】
前記造成地の下面、又は側面には、ライフライン用の電気、ガス、水道、下水道を埋設する構成とした請求項１又は２に記載の空中都市の構造。
【発明の詳細な説明】
【技術分野】
【０００１】
本発明は、大津波、高潮、大洪水等の災害（被害）の時でも安心な空中都市の構造に関する。
【背景技術】
【０００２】
近時は、気象変動が激しく、自然災害から発生する地震津波、台風で発生する高潮、大雨で発生する洪水等（纏める場合には、異常津波とする）で被害が多く発生し、通常の生活が脅かされている。本発明は、特に土地の低い地域や海抜０ｍ地域に被害が集中するので、この問題を解決することを目的とする。
【０００３】
周知の如く、０メートル付近には盛り土用の土砂又は山砂が乏しく、防波堤(防潮堤)だけ高くしても内陸側の土地のかさ上げが難しく、大雨での浸水等被害が発生している。そこで、本発明では、防波堤に連結して、鉄筋コンクリート製のセルを多数箇作成し、例えば、ブロック状に積み上げてかさ上げし、造成地を構築し、工場用、又は住居（宅地）用等の多目的の土地を作り高潮、大津波の災害から、人と生活を守る発明であり、関連する特許文献を列挙する。
【０００４】
特開２００７−２３６１０号公報において、セル形の地下タンクシステムがある。通常の災害用の地下タンクであり、発明の範囲に留まるので、異常津波に関する開示はない。
【０００５】
また、実開平５−５４６６４号公報において、建物の基礎を利用した雨水貯留中水道システムがある。この考案は、少量の雨量を貯留することを意図する。従って、異常津波に関する開示はない。
【０００６】
本出願人が提案する、登録実用新案第３１７９０８７号公報に記載の「津波を反転する防波堤」を採択すれば、大津波の第一波が流速で、概ね、４０ｋｍ／ｈであることを考慮すると、防波堤をせり上がった津波を外海へ反転させることが可能で、極めて有効である。しかし、第二、又は第三波以降の比較的低い速度で「せり上がる」場合には、さらに改良が必要となると考えられる。
【先行技術文献】
【特許文献】
【０００７】
【特許文献１】特開２００７−２３６１０号公報
【特許文献２】実開平５−５４６６４号公報
【特許文献３】登録実用新案第３１７９０８７号公報
【発明の概要】
【発明が解決しようとする課題】
【０００８】
上記に鑑み、本発明は、鉄筋コンクリートで作ったブロックをセルとして利用する。セルは正方形、又は長方形の形で６面、又は４面の貫通穴があり、それぞれを組み合わせて防波堤の高さまでいくつかを積み上げる。ブロック状に作られた内部の穴を水の貯水槽(プール)として利用が、好ましい、一例である。縦横方向にもつないで広い面積と強度を確保するため、それぞれのセルには、縦又は横にボルト穴が開いており、積み上げた時、又は大地震で壊れないようにボルトで締結し、例えば、永久的な耐久性を保持する。セルの製造は、必ずしも堤防近くで製造する必要はなくセメント、砂等材料があれば、製造場所は、原則として限定されない。このようにして、防波堤（防潮堤）に隣接して一体で作られた土地の地下構造は巨大な貯水槽として河川の氾濫、高潮、大津波で発生した河川の水、海水等の水を、積極的（一時的）に地下タンクに保存し、災害回避と、災害が収まったあと徐々に排水する。
【０００９】
また、本発明は、セル形ブロックを、複数個設置して地下タンクを形成し、前記地下タンクの上に、空中都市を形成する。地下タンクは、大津波、高潮、大洪水等で生じた海水、水を貯蔵する。所謂、プールとして活用する。その為に、防波堤には第二穴（第一導水路）から積極的に内部へ貯め込み、造成地上に設けた道路、建物に影響が及ばないようにする。セルにはセル同士を繋ぐ６面又は４面の貫通穴を開設し、雨水等を効率よく誘導しつつ、スムースかつ短時間に地下タンクに誘導できることと、各セルに均等に貯留できる。セル構造であり、広狭の場所への設置と、時間を置いて、順次拡張、又は交換できるので、重宝することと、市井の要望にマッチした構造であり、かつ有益である。また、貯蔵した海水、雨水等の水は、災害終了後には、第三導水路（第三穴）を利用して海へ放出するがあまりにも多量のため、発電機を通路内に設置して発電に利用する。
【００１０】
さらに、本発明は、防波堤に設けた第三導水路には、逆止弁を設けて逆流を防ぐ（一方向だけ水を流す）とともに、第三導水路は、災害が収まった後に、徐々に海又は川へと排水する。そして、造成地は、道路、宅地として利用することから、雨水が溜まらないように、道路等各所に金網を通して地下タンクに雨水を流す構成とする。さらに、道路周辺又は下側に生活に必要な水道、ガス、電気、下水を埋設する。そして、また、防波堤の内部にエレベータを設置し、漁船から積み下ろした荷物を造成地に引き上げ、造成地にて魚の加工等、安心して作業できるようにする。
【００１１】
特許文献３として挙げた登録実用新案第３１７９０８７号を採択すれば、前述の如く、大津波の第一波が流速で、概ね４０ｋｍ／ｈであることを考慮すると、防波堤をせり上がった津波を外海へ反転させることが可能で、極めて有効である。しかし、第二、又は第三波以降の比較的低い速度で「せり上がる」場合には、導水路の設定が必要となり、かつこの導水路を備えた地下タンク付き空中都市であれば、地震津波、台風で発生する高潮とか、大雨で発生する洪水等を心配せずに、快適な生活ができる。
【課題を解決するための手段】
【００１２】
本発明に係る、河川、又は海岸縁に作った防波堤は、図１のような構造をしており、高潮、大津波等で発生した大水は防波堤の第二導水路（第一穴）にたどり着き、防波堤に隣接したセル内部に流れ、セル内の穴を通って下、横方向まで流れ込みプールされる。さらに水位が上昇した場合、非常用の第一導水路（第二穴）にまで到達すると連結したセル内の穴を通過して地下へ流れる。第一導水路の高さは過去に発生した津波の高さを勘案して決定するが、防波堤は、第一導水路よりさらに数メートル高い堤を段違いに設定することにより、生活居住地域に被害が及ぶことはなく、例えば、第一波〜第三波による地震津波、台風で発生する高潮とか、大雨で発生する洪水等を心配せずに、快適な生活ができる。
【００１３】
その為に、請求項１〜請求項１１を提案する。
【発明の効果】
【００１４】
請求項１の発明は、防波堤、又は防潮堤と、防波堤、又は防潮堤の内陸側に、鉄筋コンクリート製でブロック構造のセル形タンクを、複数個設置して地下タンクを形成し、地下タンクの上を造成地とし、造成地に漁業建物、工場、住居、道路、建物、樹木、又は生活ライフラインを構築し、
防波堤の下側に第三導水路を開設するとともに、この第三導水路を地下タンクと海岸側に、それぞれ繋がる構成とし、この第三導水路に発電装置を設置する構成とし、
第三導水路の海岸側に、逆止弁を付設する構成とした空中都市とする構成である。
請求項２の発明は、防波堤、又は防潮堤と、前記防波堤、又は防潮堤の内陸側に形成した地下タンク空間に、コンクリート製のセルブロックを、多数個配置し、地下タンクを形成するとともに、この地下タンクの上に内陸面を形成し、この内陸面に生活用、又は作業用の造成地を構築し、この造成地に漁業建物、工場、住居と、道路、樹木、又は生活ライフラインを構築し、
防波堤の内部に、漁船から積み下ろした荷物を前記造成地に運搬するためのエレベータを設ける構成とした空中都市とする構成である。
請求項１、２の発明においては、各セル形タンクには、６面又は４面の貫通穴を開設し、複数の貫通穴より、隣接する他のセル形タンクに、海水、又は水が流れ、かつ第一導水路又は第二導水路を備えた防波堤でガードされた空中都市の構造であり、大津波の第一波が流速で、概ね、４０ｋｍ／ｈであることを考慮すると、防波堤をせり上がった津波を外海へ反転させることが可能で、極めて有効であり、しかも、第二、又は第三波以降の比較的低い速度で「せり上がる」場合のために、第一導水路又は第二導水路が設けられた地下タンク付き空中都市であり、仮に、地震津波、台風で発生する高潮とか、雨水で発生する洪水等を心配せずに、快適な生活ができる。
【００１５】
請求項５の発明は、複数のセル形タンクは、ステンボルトで互いにしっかりと締結する空中都市の構造であり、請求項１、２に記載の特徴を達成でき、また、この特徴達成に、最適な造成地の構造を提供できる。
【００１６】
請求項６の発明は、空中都市のかさ上げした土地は、造成地であって、海岸側、又は河川側に設けた防波堤の高さと、略同じとする空中都市の構造であり、請求項１、２に記載の特徴を達成でき、また、この特徴達成に、最適な造成地の構造を提供できる。
【００１７】
請求項７の発明は、防波堤の上部に回廊式の第一導水路を形成し、第一導水路は、金網構造、又は穴開き構造の鉄板で閉塞、又は一部を閉塞する空中都市の構造であり、請求項１、２に記載の特徴を達成でき、また、この特徴達成に、最適な回廊式の非常用導水路の構造を提供できる。
【００１８】
請求項８の発明は、防波堤には、横方向に向かって、四角、又は丸、その他の形状の第二導水路を開設するとともに、第二導水路は、防波堤の高さの１／４〜３／４の位置に開設することで、津波発生時において、海水が容易に、地下タンク内に流入する空中都市の構造であり、請求項１、２に記載の特徴を達成でき、また、この特徴達成に、最適な防波堤に開設した第二導水路の構造を提供できる。
【００１９】
請求項９の発明は、造成地を通常の既設土地として利用する構成とした空中都市の構造であり、請求項１、２に記載の特徴を達成でき、また、この特徴達成に、最適な造成地の構造を提供できる。
【００２０】
請求項１０の発明は、造成地に、海水侵入防止の数メートルの段差を設ける構成とした空中都市の構造であり、請求項１、２、９に記載の特徴を達成でき、また、この特徴達成に、最適な造成地に構築する段差の構造を提供できる。
【００２１】
請求項３の発明は、防波堤の下側に第三導水路を開設するとともに、第三導水路を地下タンクと海岸側に、それぞれ繋がる構成とし、第三導水路に発電装置を設置する空中都市の構造であり、請求項２に記載の特徴を達成でき、また、本発明に、別の目的達成に有益な装置を提供できる。さらに、請求項３では、停電とか、緊急とか等の停電時において、活用できることで、極めて実効性を備えている。
【００２３】
請求項１１の発明は、造成地の下面、又は側面には、ライフライン用の電気、ガス、水道、下水道を埋設する空中都市の構造であり、請求項１、２に記載の特徴を達成でき、また、この特徴達成に、最適な造成地のライフライン用の電気等の設備工事に関する構造を提供できる。
【００２４】
請求項２の発明は、防波堤の内部に、漁船から積み下ろした荷物を造成地に運搬するためのエレベータを設ける空中都市の構造であり、最適な空中都市に必要とする設備工事に関する構造を提供できる。
【００２５】
請求項４の発明は、エレベータは、使用が終了すると自動的に常時上段にある空中都市の構造であり、請求項２に記載の特徴を達成でき、また、この特徴達成に、最適なエレベータの構造を提供できる。
【図面の簡単な説明】
【００２６】
【図１】空中都市の全体像の一例を断面視した模式図
【図２】空中都市の全体像の一例を断面視した模式図
【図３】（イ）、（ロ）は、セル形ブロックの構造の一例を示した図で、６面タイプと、４面タイプとを、それぞれ示した正面図と、（ハ）、（ニ）は、壁に設置するセル形ブロックと、中間に設置するセル形ブロックとを、それぞれ示した斜視図
【図４】空中都市の全体像の一例を平面視した模式図
【図５】セル形ブロック、防波堤の連結の一例を示した模式図
【図６】空中都市のライフライン用の道路の一例を示した拡大断面図
【図７】空中都市の防波堤に設置されたエレベータの構造の一例を示した拡大断面図
【発明を実施するための形態】
【００２７】
図１、図２に示すように、空中都市は、防波堤１、又は防潮堤２（以下、防波堤１で説明する）の内陸側１００に地下タンク空間３を構築する。地下タンク空間３には、基礎１０２上に鉄筋コンクリート製でブロック構造のセル形タンク５ａ〜５ｎ（一例では５ａとする）を複数個設置して地下タンク５を構築する。セル形タンク５ａのそれぞれには、図３に示すように、中央部に、例えば、他のセル形タンク５ｎに繋がる６面又は４面の貫通穴５０１が設けられている。これにより、セル形タンク５ａは、それぞれ繋がり、一つのセル形タンク５ａの海水が、それぞれ他のセル形タンク５ｂ〜５ｎに到る構造である。
【００２８】
また、セル形タンク５のそれぞれには、縁辺部にステンボルト５１（ステンレスボルト）を通すための複数の貫通孔５０２が設けられている。図５に示すように、各貫通孔５０２にステンボルト５１を通し、隣り合うセル形タンク５ａを連結し、ステンナット５２（ステンレスナット）とワッシャー５３でステンボルト５１を固定することにより、セル形タンク５ａを、互いに連結（固定）する。また、セル形タンク５ａのうち、防波堤１と隣接するタンク５ａには、一端が錨形であるステンボルト５１’（ステンレスボルト）を通し、防波堤１とタンク５ａとを固定する。
【００２９】
地下タンク５の上面には、盛り土をして造成地６とするとともに、海岸側、又は河川側に設けた防波堤１の高さＨと、略同じとなる。造成地６は、後述する道路、建物、工場、住居、又はライフライン設備、並びに各通信設備、或いは商業・工業設備等を構築して、空中都市１０とする。
【００３０】
防波堤１の天板部には、回廊式の第一導水路１１を形成し、第一導水路１１は、金網構造の鉄板１２で閉塞、又は一部を閉塞する。尚、第一導水路１１は、津波発生時において、防波堤１の上側１ａ（天板面）から海水Ａを地下タンク５に誘導する道である。第一導水路１１は、前述したように、第二、又は第三波以降の比較的低い速度で「せり上がる」場合には、有効である。また、第一導水路１１の内陸側には数メートルの段差ｈを設け、「せり上がった」海水Ａを遮断する。
【００３１】
また、防波堤１には、横に向かって、四角、又は丸、その他の形状の第一導水路１０１を一つ、又は複数開設するとともに、第二導水路１０１は、防波堤１の高さＨの１／４〜３／４の位置に開設することで、津波発生時において、地下タンク５内に、海水Ａが、容易に流入できる構造とする。第二導水路１０１を開設する防波堤１の高さＨは、海水面の位置とか、防波堤１の構造、或いは波の状況等により変更される。図中１０１ａは第二導水路１０１の導入口、１０１ｂは導入口１０１ａに設けた金網である。
【００３２】
防波堤１の下側１ｂには、地下タンク５の海水Ａ、又は雨水等の水を海岸側Ａ１に流す第三導水路１３を開設する。第三導水路１３には水車形の発電機１５を付設することも可能であり、自然エネルギーを生成する。尚、発電機１５の効率的な発電を図ることを意図して、第三導水路１３を、海岸側Ａ１に向かって、下り勾配、或いは収れん形状にし、流速を早めることも有効である。発電機１５は、停電とか、緊急とか等の非常時において、活用できることで、極めて実効性を備えている。また、図中１０２は防波堤１の基礎を示す。
【００３３】
造成地６（空中都市）の上面６ａ、又は側面等の他の面には、ライフライン用の電気、ガス、水道、下水道等のライフライン手段２０を埋設する。例えば、図６に示すように、造成地６の道路部位３０００、側道等に、例えば、ライフライン設備２０を設けることで、生活環境維持と利便性、並びに構築の容易化とか、道路３０の目的維持等を図る。
【００３４】
造成地６には、各図に示すように、道路３０、建物３１、工場、住居、又は樹木３２、並びにライフライン設備２０、並びに各通信設備、或いは商業・工業設備等を整備する。また、地下タンク５に到るか、又は造成地６の高さ内に、下端があるパイプ式の雨水排水装置２１を作り、造成地６の雨水対策とする。パイプには金網を設ける。
【００３５】
さらに、図７に示すように、防波堤１の内部に、漁船Ｓから積み下ろした荷物を造成地６に運搬するためのエレベータ７０１を設け、魚の加工工場７１を海沿いではなく、造成地６上に作る。このため、防波堤１に隣接した土地で安心、かつ効率的にして作業ができ重宝する。エレベータ７０１の扉７０２、７０３は、原則として、自動扉であり、常時は締めておく等の安全と緊急時に有効に対応できる体制を確保する。また、エレベータ７０１は、例えば、最上階に設け、津波等の災害の際に被害が及ばない構造とする。
【００３６】
以上の構成は、第一波の津波が発生した際には、第一波の津波の海水Ａは、第二導水路１０１より、地下タンク５内に流入し（流れ込み）、この第一波の津波からの避難と、地下タンク５への海水Ａの流れ込みで、津波から、人とその人命保護・ライフライン生活保護を始めとして、建物３１、道路３０、並びにライフライン保護であって、例えば、住宅、工場、公園等の破壊防止に実益がある。その後、第二、第三波の津波が発生し、海水Ａが比較的低い速度で「競り上がり」、第一道水路１１を、僅か乗り越えた場合には、この第一導水路１１より、海水Ａが地下タンク５内に流入する。少なくとも、二重の津波対策が功を奏する。併せて、不幸に、第四波の津波が発生し、前記以上に、第一道水路１１を乗り越えた場合には、海水Ａは、段差ｈで防ぎ、第四波の津波が造成地６に到らず、この第一導水路１１に導く、前述の構成である。これらの総合的な、地下タンク５への海水Ａの流れ込みで、多段の津波から、人とその人命保護・ライフライン生活保護を始めとして、前述と同じ津波対策ができる。
【００３７】
前述した各構造は、本発明の好ましい一例の説明である。従って、本発明は前述した各実施例に限定されるものではなく、発明の趣旨の範囲において構成の一部を変更する構造とか、同じ特徴と効果を達成できる構造、等は、本発明の範疇である。
【符号の説明】
【００３８】
１  防波堤
１ａ  上側
１ｂ  下側
１００  内陸側
１０１  第二導水路
１０１ａ  導入口
１０１ｂ  金網
１０２  基礎
２  防潮堤
３  地下タンク空間
５  地下タンク
５ａ〜５ｎ  セル形タンク
５１  ステンボルト
５１’  ステンボルト
５２  ステンナット
５３  ワッシャー
５０１  貫通穴
５０２  貫通孔
６  造成地
６ａ  上面
７１  魚の加工工場
７０１  エレベータ
７０２  自動扉
７０３  自動扉
１０  空中都市
１１  第一導水路
１２  鉄板
１３  第三導水路
１５  発電機
２０  ライフライン設備
２１  雨水排水装置
３０  道路
３０００  道路部位
３１  建物
３２  樹木
Ａ  海水
Ａ１  海岸側
Ｈ  高さ
ｈ  段差
Ｓ  漁船
【図１】
0006518088.tif 000002
【図２】
0006518088.tif 000003
【図３】
0006518088.tif 000004
【図４】
0006518088.tif 000005
【図５】
0006518088.tif 000006
【図６】
0006518088.tif 000007
【図７】
0006518088.tif 000008